(57)【要約】【課題】画像データに手書き用のスペースを確保するとともに、データの汎用性を持たせること。【解決手段】画像を取り込むＣＣＤ１４と、ＣＣＤ１４によって取り込んで得た画像信号を処理する画像処理部６と、画像処理部６で処理した画像信号を一時記録する内部記録媒体５とを備える撮像装置において、画像処理部６が、内部記録媒体６に下地となる画像信号を書き込む処理を行うとともに、内部記録媒体６に書き込んだ下地となる画像信号の領域の内側にＣＣＤ１４で取り込んで得た画像信号に基づく画像信号を上書きする処理を行うものである。【選択図】図１
2005039684.tif 000002
【特許請求の範囲】
【請求項１】
画像を取り込む撮像手段と、前記撮像手段によって取り込んで得た画像信号を処理する画像処理手段と、前記画像処理手段で処理した画像信号を一時記録する内部記録手段とを備える撮像装置において、
前記画像処理手段は、前記内部記録手段に下地となる画像信号を書き込む処理を行うとともに、前記内部記録手段に書き込んだ前記下地となる画像信号の領域の内側に前記撮像手段で取り込んで得た画像信号に基づく画像信号を上書きする処理を行う
ことを特徴とする撮像装置。
【請求項２】
前記内部記録手段に一時記録した画像信号を外部へ出力する出力手段を備えており、
前記画像処理手段は、前記下地となる画像信号の領域のサイズを、前記出力手段で出力する画像信号の領域のサイズと同じにする
ことを特徴とする請求項１記載の撮像装置。
【請求項３】
前記画像処理手段は、前記下地となる画像信号に対して上書きする画像信号として、前記撮像手段で取り込んで得た画像信号を縮小したものを用いる
ことを特徴とする請求項１記載の撮像装置。
【請求項４】
前記画像処理手段は、前記下地となる画像信号に対して上書きする画像信号として、前記撮像手段で取り込んで得た画像信号を切り出したものを用いる
ことを特徴とする請求項１記載の撮像装置。
【請求項５】
前記画像処理手段は、前記下地となる画像信号の領域の中心と、これに上書きする画像信号の領域の中心とをずらすようにする
ことを特徴とする請求項１記載の撮像装置。
【請求項６】
前記画像処理手段は、前記内部記録手段に記録された画像信号を外部記録媒体に記録する処理を行う
ことを特徴とする請求項１記載の撮像装置。
【請求項７】
前記下地となる画像信号は、所定の一色から成る
ことを特徴とする請求項１記載の撮像装置。
【請求項８】
前記下地となる画像信号は、白一色から成る
ことを特徴とする請求項１記載の撮像装置。
【請求項９】
前記画像処理手段によって前記画像信号の上書き処理を実行するモードと実行しないモードとの切り替えを行うユーザインタフェース手段を備えている
ことを特徴とする請求項１記載の撮像装置。
【請求項１０】
前記下地となる画像信号に対して上書きする画像信号の領域の形状、大きさ、上書きする位置を選択するためのユーザインタフェース手段を備えている
ことを特徴とする請求項１記載の撮像装置。
【請求項１１】
取り込む画像の全体領域から変更後の領域を設定する工程と、
撮像手段によって画像を取り込み、その取り込んだ画像から前記変更後の領域に対応する画像信号を取得する工程と、
内部記録手段に下地となる画像信号を書き込んだ状態で、前記変更後の領域に対応する画像信号を、前記下地となる画像信号の領域の内側に上書きする工程と
を備えることを特徴とする撮像方法。
【請求項１２】
前記内部記録手段に下地となる画像信号を書き込むサイズは、前記内部記録手段に記録した画像信号を出力する際のサイズである
ことを特徴とする請求項１１記載の撮像方法。
【請求項１３】
前記変更後の領域に対応する画像信号は、前記撮像手段で取り込んで得た画像信号の全体を前記変更後の領域に縮小したものから成る
ことを特徴とする請求項１１記載の撮像方法。
【請求項１４】
前記変更後の領域に対応する画像信号は、前記撮像手段で取り込んで得た画像信号の全体を前記変更後の領域に切り出したものから成る
ことを特徴とする請求項１１記載の撮像方法。
【請求項１５】
前記変更後の領域に対応する画像信号を上書きするにあたり、前記下地となる画像信号の領域の中心と、前記変更後の領域に対応する画像信号の領域の中心とをずらすようにする
ことを特徴とする請求項１１記載の撮像方法。
【請求項１６】
前記内部記録手段に記録した画像信号を外部記録媒体に記録する処理を行う
ことを特徴とする請求項１１記載の撮像方法。
【請求項１７】
前記下地となる画像信号は、所定の一色から成る
ことを特徴とする請求項１１記載の撮像方法。
【請求項１８】
前記下地となる画像信号は、白一色から成る
ことを特徴とする請求項１１記載の撮像方法。
【請求項１９】
前記取り込む画像の全体領域から変更後の領域を設定する工程では、前記下地となる画像信号に対して上書きする画像信号の領域の形状、大きさ、上書きする位置の情報に基づいて行う
ことを特徴とする請求項１１記載の撮像方法。
【請求項２０】
撮像手段によって画像を取り込む工程と、
前記撮像手段によって取り込んで得た画像信号の全体から所定領域に対応する画像信号を取得する工程と、
内部記録手段に下地となる画像信号を書き込んだ状態で、前記所定領域に対応する画像信号を、前記下地となる画像信号の領域の内側に上書きする工程と
を備えることを特徴とする撮像方法。
【請求項２１】
前記内部記録手段に下地となる画像信号を書き込むサイズは、前記内部記録手段に記録した画像信号を出力する際のサイズである
ことを特徴とする請求項２０記載の撮像方法。
【請求項２２】
前記所定領域に対応する画像信号は、前記撮像手段で取り込んで得た画像信号の全体を前記所定領域に縮小したものから成る
ことを特徴とする請求項２０記載の撮像方法。
【請求項２３】
前記所定領域に対応する画像信号は、前記撮像手段で取り込んで得た画像信号の全体を前記所定領域に切り出したものから成る
ことを特徴とする請求項２０記載の撮像方法。
【請求項２４】
前記所定領域に対応する画像信号を上書きするにあたり、前記下地となる画像信号の領域の中心と、前記所定領域に対応する画像信号の領域の中心とをずらすようにする
ことを特徴とする請求項２０記載の撮像方法。
【請求項２５】
前記内部記録手段に記録した画像信号を外部記録媒体に記録する処理を行う
ことを特徴とする請求項２０記載の撮像方法。
【請求項２６】
前記下地となる画像信号は、所定の一色から成る
ことを特徴とする請求項２０記載の撮像方法。
【請求項２７】
前記下地となる画像信号は、白一色から成る
ことを特徴とする請求項２０記載の撮像方法。
【請求項２８】
前記撮像手段によって取り込んで得た画像信号の全体から所定領域に対応する画像信号を取得する工程では、前記下地となる画像信号に対して上書きする画像信号の領域の形状、大きさ、上書きする位置の情報に基づいて行う
ことを特徴とする請求項２０記載の撮像方法。
【請求項２９】
外部記録手段に記録された画像信号を取り込む工程と、
取り込んだ前記画像信号の全体から所定領域に対応する画像信号を取得する工程と、
内部記録手段に下地となる画像信号を書き込んだ状態で、前記所定領域に対応する画像信号を、前記下地となる画像信号の領域の内側に上書きする工程と
を備えることを特徴とする画像処理方法。
【請求項３０】
前記内部記録手段に下地となる画像信号を書き込むサイズは、前記内部記録手段に記録した画像信号を出力する際のサイズである
ことを特徴とする請求項２９記載の画像処理方法。
【請求項３１】
前記所定領域に対応する画像信号は、前記外部記録手段から取り込んだ画像信号の全体を前記所定領域に縮小したものから成る
ことを特徴とする請求項２９記載の画像処理方法。
【請求項３２】
前記所定領域に対応する画像信号は、前記外部記録手段から取り込んだ画像信号の全体を前記所定領域に切り出したものから成る
ことを特徴とする請求項２９記載の画像処理方法。
【請求項３３】
前記所定領域に対応する画像信号を上書きするにあたり、前記下地となる画像信号の領域の中心と、前記所定領域に対応する画像信号の領域の中心とをずらすようにする
ことを特徴とする請求項２９記載の画像処理方法。
【請求項３４】
前記内部記録手段に記録した画像信号を外部記録媒体に記録する処理を行う
ことを特徴とする請求項２９記載の画像処理方法。
【請求項３５】
前記下地となる画像信号は、所定の一色から成る
ことを特徴とする請求項２９記載の画像処理方法。
【請求項３６】
前記下地となる画像信号は、白一色から成る
ことを特徴とする請求項２９記載の画像処理方法。
【請求項３７】
前記取り込んだ画像信号の全体から所定領域に対応する画像信号を取得する工程では、前記下地となる画像信号に対して上書きする画像信号の領域の形状、大きさ、上書きする位置の情報に基づいて行う
ことを特徴とする請求項２９記載の画像処理方法。
【発明の詳細な説明】
【技術分野】
【０００１】
本発明は、画像信号に対して所定の処理を行う撮像装置および撮像方法ならびに画像処理方法に関し、特に画像信号の周辺に余白として利用できる部分を形成するのに適したものに関する。
【背景技術】
【０００２】
従来、デジタルスチルカメラ等の撮像装置で取り込んだ画像をプリンタで用紙に印刷出力する場合、余白を設定しないいわゆる縁なし印刷や、所定量の余白を設定するいわゆる縁あり印刷をプリンタのドライバソフトウェアで設定したり、もしくはExif情報といった共通規格によって余白設定を行うことが行われている。ここで、特許文献１には印刷出力する画像の配置を設定する技術、特許文献２には縁あり、縁なし印刷での画像のリサイズに関する技術が開示されている。
【０００３】
【特許文献１】特開２００３−５７７６３号公報
【特許文献２】特開２００３−６１０３４号公報
【発明の開示】
【発明が解決しようとする課題】
【０００４】
しかしながら、上記特許文献１および特許文献２に開示される技術においては、画像の配置やリサイズに関するものであり、余白の設定は画像の配置やリサイズの結果として残りの部分が余白となることから、積極的な余白の設定には対応できない。例えば、取り込んだ画像を印刷出力するにあたり、余白部分を多く設定してペンを用いた手書きスペースを設けたい場合、余白設定では十分なスペースを確保することができない。また、余白の情報は画像データのフォーマット（規格）に依存するため、規格に合わない機器間のデータ伝送では余白の情報が利用できず、機器に依存してしまうという問題もある。
【課題を解決するための手段】
【０００５】
本発明はこのような課題を解決するために成されたものである。すなわち、本発明は、画像を取り込む撮像手段と、撮像手段によって取り込んで得た画像信号を処理する画像処理手段と、画像処理手段で処理した画像信号を一時記録する内部記録手段とを備える撮像装置において、画像処理手段が、内部記録手段に下地となる画像信号を書き込む処理を行うとともに、内部記録手段に書き込んだ下地となる画像信号の領域の内側に撮像手段で取り込んで得た画像信号に基づく画像信号を上書きする処理を行うものである。
【０００６】
また、取り込む画像の全体領域から変更後の領域を設定する工程と、撮像手段によって画像を取り込み、その取り込んだ画像から変更後の領域に対応する画像信号を取得する工程と、内部記録手段に下地となる画像信号を書き込んだ状態で、変更後の領域に対応する画像信号を、下地となる画像信号の領域の内側に上書きする工程とを備える撮像方法である。
【０００７】
また、撮像手段によって画像を取り込む工程と、撮像手段によって取り込んで得た画像信号の全体から所定領域に対応する画像信号を取得する工程と、内部記録手段に下地となる画像信号を書き込んだ状態で、所定領域に対応する画像信号を、下地となる画像信号の領域の内側に上書きする工程とを備える撮像方法である。
【０００８】
また、外部記録手段に記録された画像信号を取り込む工程と、取り込んだ画像信号の全体から所定領域に対応する画像信号を取得する工程と、内部記録手段に下地となる画像信号を書き込んだ状態で、所定領域に対応する画像信号を、下地となる画像信号の領域の内側に上書きする工程とを備える画像処理方法である。
【０００９】
このような本発明では、撮像素子にて取り込んだ画像、もしくは外部記録手段に記録された画像を取り込んで処理し、印刷出力もしくは外部記録手段へ記録するにあたり、内部記録手段に下地となる画像信号を書き込み、その書き込んだ領域の内側に処理対象の画像を上書きしているため、下地となる画像信号より小さいサイズの画像が上書きされ、上書きされずに残った下地となる画像信号を余白として利用できるようになる。
【発明の効果】
【００１０】
本発明によれば次のような効果がある。すなわち、本発明では、画像情報として余白の情報を設定しなくても、下地となる画像が余白として利用できるため、印刷機等の機種に依存せず手書きメモを行うことができる画像出力、印刷出力に対応することが可能となる。また、印刷機等の余白設定に依存していないため、あらゆる機器間で手書きメモ用画像を利用でき、汎用性を高めることが可能となる。
【発明を実施するための最良の形態】
【００１１】
以下、本発明の実施の形態を図に基づき説明する。図１は、本実施形態に係る撮像装置を説明するブロック図である。この撮像装置は主としてデジタルスチルカメラから成るもので、撮像素子であるＣＣＤ（Charge Coupled Device）１４、撮像した画像もしくは撮像中の画像を表示するＬＣＤ（Liquid Crystal Display）１１、メモリースティック（ソニー社商標）等の外部記録媒体１、外部記録媒体１とのインタフェースとなるメディア処理部２、各種指示や設定等の操作を行う操作部３、ＣＣＤ１４で取り込んで得た画像信号を処理する信号処理部８、ＬＣＤ１１への画像表示を制御するＬＣＤ制御部LCD制御部９、画像信号に対する各種処理を行う画像処理部６、処理対象の画像信号を一時記録するワークエリアとなるＲＡＭ（Random Access Memory）から成る内部記録媒体５、外部モニタ１０とのインタフェースとなるＶｉｄｅｏ出力処理部７、印刷機器１３とのインタフェースとなる外部Ｉ／Ｆ（インタフェース）１２、各部の制御を実行するＣＰＵ４を備えている。
【００１２】
このような本実施形態の撮像装置においては、ＣＣＤ１４で取り込んで得た画像信号もしくは外部記録媒体１から読み込んだ画像信号を画像処理部６で処理するにあたり、内部記録媒体５に下地となる画像信号を書き込む処理を行うとともに、この書き込んだ下地となる画像信号の領域の内側に処理対象の画像信号を上書きする処理を行う点に特徴がある。
【００１３】
この処理対象の画像信号を上書きする際、元の画像信号に基づく画像信号として、元の画像をリサイズ（例えば、縮小、切り取り）したものを用いたり、リサイズの必要がなければそのまま元の画像信号を用いたり、必要に応じて（例えば、下地となる画像信号の領域のサイズに応じて）元の画像信号を拡大して用いてもよい。この画像信号の上書きの位置を設定することで、上書きされずに残る下地となる画像信号の領域の形状や大きさ、位置を設定でき、この部分を余白すなわち手書き用のスペースとして利用できるようにしている。
【００１４】
図２は、内部記録媒体であるＲＡＭの使用状態を説明する模式図である。すなわち、画像処理部が画像処理を行うにあたり、先ず、全ＲＡＭ領域Ｓ１における所定領域に下地となる画像信号Ｄ１（ここでは白色データ）を書き込む。
【００１５】
その後、撮像された画像データＤ２を必要に応じて所定サイズに変換し、下地となる画像信号Ｄ１の内側となる所定位置に上書きする処理を行う。これにより、上書きされずに残った画像信号Ｄ１の部分（ここでは撮像された画像データＤ２の下側部分）が余白となった画像信号を得ることができる。つまり、この処理における余白部分は、余白としての情報ではなく白色データとしての画像信号となるため、画像情報の規格にかかわらず余白としての利用を行うことが可能となる。
【００１６】
ここで、下地となる画像信号Ｄ１の書き込み領域としては、先に示した印刷出力の用紙サイズに対応した領域であったり、また図１に示す外部モニタ１０へ出力する際のモニタサイズに対応した領域であったり、外部記録媒体１へ出力する際のサイズに対応した領域、すなわち外部へ出力するための画像データのサイズと対応している。
【００１７】
また、下地となる画像信号Ｄ１は白一色のほか、白以外の一色であったり、単色のグラデーションであったり、複数色であったり、グラフィックスを含むもの、文字等のテキストを含むものであってもよい。
【００１８】
また、下地となる画像信号Ｄ１の内側領域に上書きする画像信号のリサイズは、対象画像の縦横の比率を一定にした解像度変換もしくは間引きによる縮小や、縦方向または横方向の一方のみを縮小する処理や、対象画像の所定領域を所定の形状に切り出す処理となる。
【００１９】
次に、具体的な処理手順について説明する。なお、以下の説明では、白一色等の画像から成る余白の設定を「手書きメモ用画像」として説明する。また、以下の説明で用いる図に示されない符号は図１を参照するものとする。
【００２０】
先ず、図３のフローチャートに沿って、手書きメモ用画像としての撮像方法について説明する。この処理は、撮像を行うにあたり、取り込んだ画像について手書きメモ用画像へ変換を行って外部記録媒体へ記録する制御をＣＰＵ４で実行されるプログラム処理で実現している。
【００２１】
すなわち、ユーザが操作部３のメニュー選択キー、決定キー等の操作によって「手書きメモ用画像撮影」を選択すると手書きメモ用画像撮影状態になる（ステップＳ１０１）。ＣＰＵ４は、次に、操作部３にあるシャッターボタンが押されたか否かを繰り返し検知する（ステップＳ１０２）。シャッターボタンが押されたことを検知したＣＰＵ４は信号処理部８を制御し、ＣＣＤ１４から画像信号（データ）を読み込む（ステップＳ１０３）。
【００２２】
読み込まれたデータは信号処理部８で信号処理を施し（ステップＳ１０４）、内部記録媒体５に一時的に格納する（ステップＳ１０５）。内部記録媒体５に格納されたデータは画像処理部６に送られる。画像処理部６は、送られたデータを手書きメモ用画像サイズにリサイズして（ステップＳ１０６）、内部記憶媒体５に格納する（ステップＳ１０７）。
【００２３】
次に、ＣＰＵ４は内部記録媒体５の所定のデータ領域を確保して、このデータ領域に単色（例えば、白一色）のデータを埋め込む処理を行う（ステップＳ１０９）。その後、ＣＰＵ４は、このデータ領域に手書きメモ画像サイズにリサイズしたデータを上書きし（ステップＳ１１０）、手書きメモ用画像圧縮前データを作成する（ステップＳ１１１）。
【００２４】
そして、画像処理部６は内部記録媒体５から手書きメモ用画像圧縮前データを読み込み（ステップＳ１１２）、圧縮して（ステップＳ１１３）、再び内部記録媒体５へ格納する。その後内部記録媒体５からメディア処理部２を通し外部記録媒体１へ圧縮した手書きメモ用画像を記録する（ステップＳ１１４）。
【００２５】
次に、図４のフローチャートに沿って、手書きメモ用画像への変換処理について説明する。この処理は、撮像して外部記録媒体等に格納されたデータを用いて手書きメモ用画像への変換を行う制御をＣＰＵ４で実行されるプログラム処理で実現している。
【００２６】
先ず、ＣＰＵ４は、変換を行う画像ファイルが内部記録媒体５にあるか否かを判断し（ステップＳ２０１）、内部記録媒体５にある場合は、続けてステップＳ２０４で示す処理以降の処理を行う。
【００２７】
一方、変換を行う画像（データ）が外部記録媒体１にある場合、ＣＰＵ４はメディア処理部２を制御して外部記録媒体１から変換の対象となるデータを読み出し（ステップＳ２０２）、内部記録媒体５へ格納する（ステップＳ２０３）。
【００２８】
次に、画像処理部６が変換を行うデータを読み込み（ステップＳ２０４）、デコードを行って（ステップＳ２０５）、再び内部記録媒体５へ格納する（ステップＳ２０６）。次に、ＣＰＵ４は内部記録媒体５中に単色のデータで埋めたデータ領域を確保する（ステップＳ２０７）。
【００２９】
その後、ＣＰＵ４は、このデータ領域に手書きメモ画像サイズにリサイズしたデータを上書きし（ステップＳ２０８）、手書きメモ用画像圧縮前データを作成する（図２参照）。そして、画像処理部６は、手書きメモ用画像圧縮前データを圧縮し（ステップＳ２０９）、再び内部記録媒体５へ格納する（ステップＳ２１０）。その後、ＣＰＵ４は、内部記録媒体６から圧縮後の手書きメモ用画像を読み出し（ステップＳ２１１）、メディア処理部２を通し外部記録媒体１へ記録する（ステップＳ２１２）。
【００３０】
次に、図５のフローチャートに沿って、手書きメモ用画像の印刷処理について説明する。この処理は、外部記録媒体等に格納された手書きメモ用画像を印刷機器へ転送する制御をＣＰＵ４で実行されるプログラム処理で実現している。
【００３１】
先ず、ユーザは、画像閲覧モード（取り込んだ画像や外部記録媒体１に記録されている画像を閲覧するモード）で、操作部３にあるメニュー選択キー、決定キー等を操作して印刷したい画像を選択し、「印刷」ボタンを押す。ＣＰＵ４は、この印刷ボタンが押されたか否かを判断し（ステップＳ３０１）、押された場合には印刷を行うデータが外部記録媒体１にあるか否かを判断する（ステップＳ３０２）。
【００３２】
データが内部記録媒体５にある場合は、続けて印刷機器１３とのネゴシエーションを行う（ステップＳ３０５）。一方、印刷を行うデータが外部記録媒体１にある場合は、ＣＰＵ４はメディア処理部２を制御し、外部記録媒体１から選択されたデータを読み出し（ステップＳ３０３）、内部記録媒体５へ格納する（ステップＳ３０４）。
【００３３】
次に、外部Ｉ／Ｆ１２を制御し、印刷機器１３とのネゴシエーションを行う（ステップＳ３０５）。通信が確立しなかった場合にはエラー処理を行う（ステップＳ３０６）。一方、印刷機器との通信が確立した場合に、ＣＰＵ４は内部記録媒体５からデータを読み込みおよびデコード（ステップＳ３０７）、印刷機器へ送信する（ステップＳ３０８）。このとき、ユーザが手書きメモ画像を選択すると、手書きメモ用のスペース（余白）をもつ画像が印刷機器１３へ送られて印刷出力され、通常の画像ファイルを選択すると通常の画像が印刷出力される。
【００３４】
次に、図６のフローチャートに沿って、手書きメモ用画像への変換および印刷処理について説明する。この処理は、外部記録媒体等に格納された通常の画像を選択し、これを手書きメモ用画像に変換して印刷機器へ転送する制御をＣＰＵ４で実行されるプログラム処理で実現している。
【００３５】
先ず、ユーザは、画像閲覧モードで、操作部３にあるメニュー選択キー、決定キー等を操作して印刷したい画像を選択し、「手書きメモ印刷」ボタンを押す。ＣＰＵ４は、この手書きメモ印刷ボタンが押されたか否かを判断し（ステップＳ４０１）、押された場合には印刷を行うデータが外部記録媒体１にあるか否かを判断する（ステップＳ４０２）。
【００３６】
データが内部記録媒体５にある場合は、続けてステップＳ４０５の処理以降の処理を行う。一方、印刷を行うデータが外部記録媒体１にある場合は、ＣＰＵ４はメディア処理部２を制御し、外部記録媒体１から選択されたデータを読み出し（ステップＳ４０３）、内部記録媒体５へ格納する（ステップＳ４０４）。
【００３７】
次に、ＣＰＵ４は内部記録媒体５に格納したデータが手書きメモ用画像であるか否かを判断する（ステップＳ４０５）。この判断は、例えばデータのヘッダに書き込まれた識別情報によって行う。データが手書きメモ用画像であった場合、画像処理部６によってデコード処理を行い（ステップＳ４０６）、再び内部記録媒体５に格納する（ステップＳ４０７）。そして、ステップＳ４１２へ進む。
【００３８】
一方、データが手書きメモ用画像でなかった場合、ＣＰＵ４は内部記録媒体５中に単色のデータで埋めたデータ領域を確保する（ステップＳ４０８）。次いで、ＣＰＵ４は、このデータ領域に手書きメモ画像サイズにリサイズしたデータを上書きし（ステップＳ４０９）、手書きメモ用画像圧縮前データを作成する。
【００３９】
その後、画像処理部６は手書きメモ用画像圧縮前データを圧縮し（ステップＳ４１０）、再び内部記録媒体５へ格納する（ステップＳ４１１）。次に、ＣＰＵ４は内部記録媒体５に格納したデータを読み込み（ステップＳ４１２）、外部Ｉ／Ｆ１２を制御し、印刷機器１３とのネゴシエーションを行なう（ステップＳ４１３）。通信が確立しなかった場合にはエラー処理を行う（ステップＳ４１４）。一方、通信が確立した場合、ＣＰＵ４は内部記録媒体５から読み出したデータのデコードを行い（ステップＳ４１５）、そのデータを印刷機器１３へ送信する（ステップＳ４１６）。
【００４０】
上記の処理で、ユーザによって選択されたデータが「手書きメモ用画像」であれば手書きメモ画像への変換は行わず、選択された画像ファイルが通常の画像であれば手書きメモ用画像への変換を行って印刷処理することができる。
【００４１】
次に、手書きメモ用画像への変換例を説明する。図７〜図１２は手書きメモ用画像への変換例を説明する模式図である。そのうち、図７は撮像した画像（元画像）Ｇ１を示している。この画像Ｇ１を用いて手書きメモ用画像を生成するには、画像Ｇ１のリサイズを行って下地となる画像（例えば、白一色の画像）の内側所定位置に上書きする。
【００４２】
図８は、リサイズ後の画像Ｇ１’を下地となる画像Ｇ２の左右略中央で上側に上書きした例である。下地となる画像Ｇ２は、例えば印刷出力する用紙のサイズに対応した領域Ｇ０の全面に書き込まれており、この内側領域にリサイズ後の画像Ｇ１’を上書きする。リサイズ後の画像Ｇ１’が矩形となる場合には、元の画像Ｇ１の縦横比を一定にした解像度変換もしくは間引きによる縮小を行ったり、縦横一方のみを縮小するようにする。
【００４３】
図９は、図８と同様に矩形にリサイズした画像Ｇ１’を下地となる画像Ｇ２の左右略中央で上下真ん中よりやや上側に上書き配置した例である。また、図１０は、図８と同様に矩形にリサイズした画像Ｇ１’を下地となる画像Ｇ２の左上に寄せて上書き配置した例である。
【００４４】
いずれの例でも、出力する画像データのサイズ（例えば、用紙のサイズ）に対応した領域Ｇ０の全てに下地となる画像Ｇ２を書き込み、その画像Ｇ２より内側にリサイズした画像Ｇ１’を上書きすることで、上書きされずに残った下地の画像Ｇ２の部分が余白として利用できるようになる。
【００４５】
この余白として確保されたスペースは、印刷出力した後にペン等でメッセージを書き込む部分として利用したり、また、ＬＣＤ１１等の表示手段に表示されている状態でテキストデータやグラフィックスデータの書き込み、電子ペンによる手書きのスペースとして利用することができる。
【００４６】
図１１、図１２は、矩形以外のリサイズの例を示す模式図で、図１１は楕円形、図１２はハート型の例である。矩形以外のリサイズを行うには、元の画像Ｇ１（図７参照）からリサイズの形状に対応した領域を切り出す処理を行う。すなわち、内部記録媒体５に展開した元の画像Ｇ１から、楕円形やハート型などリサイズの形状に対応する領域のデータだけを切り出して、下地となる画像Ｇ２の内側領域に上書きする。
【００４７】
なお、撮像とともに手書きメモ用画像を形成する場合、一旦内部記録媒体５に取り込んだ全ての画像を展開した後、リサイズの形状に対応する領域のデータを切り出して画像Ｇ２に上書きしても、またＣＣＤ１４から読み出した取り込み画像の信号のうち、リサイズの形状に対応する領域のデータのみを信号処理部８が抽出して内部記録媒体５の画像Ｇ２へ直接上書きするようにしてもよい。直接上書きすれば、内部記録媒体５の容量を小さくできる。
【００４８】
リサイズの形状は、図１１や図１２で示す楕円形、ハート型以外でも同様な切り出しによってどのような形状でも対応可能である。
【００４９】
図１３、図１４はメニュー画面（ユーザインタフェース手段）の一例を示す模式図である。メニュー画面は例えば撮像装置のＬＣＤ１１に表示されるもので、メニュー画面を呼び出すボタン（手書きメモ用画像に関する処理を行うか否かを選択するためのボタン）等の選択によって先ず図１３に示すようなメニュー画面Ｍ１が表示される。
【００５０】
このメニュー画面Ｍ１には、撮影された画像（例えば、内部記録媒体５に格納中の画像や、外部記録媒体１から読み出した画像）のサムネイル（縮小画像）が並べて表示される。また、機能選択のためのボタンＢ１〜Ｂ４も表示される。
【００５１】
このボタンＢ１〜Ｂ４のうち、「手書きメモ印刷」のボタンＢ１は、表示されている画像を手書きメモ用画像に変換して印刷する機能を選択するためのもの、また「手書きメモ変換」のボタンＢ２は、表示されている画像を手書きメモ用画像に変換して外部記憶媒体１に格納する機能を選択するためのもの、「設定」のボタンＢ３は、手書きメモ用画像を作成するための各種設定を行うモードへ移行するためのもの、「キャンセル」のボタンＢ４はメニュー画面Ｍ１の解除を行うためのものである。
【００５２】
ここで、ユーザが「手書きメモ印刷」のボタンＢ１もしくは「手書きメモ変換」のボタンＢ２を選択すると、図１４に示すメニュー画面Ｍ２に切り替わる。メニュー画面Ｍ２にはカーソルが表示され、撮影された画像のサムネイルを選択できるようになる。例えばカーソルを画像Ｇ１に対応したサムネイルの位置に合わせると画像Ｇ１のサムネイルが太枠で表示され、この画像Ｇ１が選択されていることが分かる。
【００５３】
ユーザは、処理を行う画像をカーソルで選択した後、メニュー画面Ｍ２に表示される各種ボタンＢ２１〜Ｂ２４を選択することで、対応した処理が実行される。例えば、「印刷開始」のボタンＢ２１を選択すると、カーソルで選ばれている画像（例えば、画像Ｇ１）に対して手書きメモ用画像への変換および印刷処理８図６参照）が実行される。
【００５４】
また、「変換開始」のボタンＢ２２を選択すると、カーソルで選ばれている画像Ｇ１に対して手書きメモ用画像への変換処理（図４参照）が実行される。また、「確認」のボタンＢ２３を選択すると、図１５に示すような確認のための表示すなわち画像Ｇ１がリサイズされた画像Ｇ１’および各種ボタンＢ３１〜Ｂ３４の表示が行われる。
【００５５】
リサイズされた画像Ｇ１’は、全体の領域Ｇ０に書き込まれた下地の画像Ｇ２の内側領域に表示される。ここで、例えば「移動」のボタンＢ３１を選択すると、カーソルの移動とともにリサイズされた画像Ｇ１’の領域Ｇ０の内側で移動できる。また、「縮拡」のボタンＢ３２を選択すると、カーソルの移動とともに画像Ｇ１’のリサイズの大きさを変更できる。「キャンセル」のボタンＢ３３を選択すると、変更前の画像Ｇ１’に戻すことができる。
【００５６】
画像Ｇ１’の確認もしくは変更が完了した後は「ＯＫ」のボタンＢ３４を選択すると図１４に示すメニュー画面Ｍ２に戻り、ここで「印刷開始」のボタンＢ２１もしくは「変換開始」のボタンＢ２２を選択することで、確認後もしくは変更後の設定でリサイズが行われ、印刷もしくは変換が実行される。
【００５７】
また、図１３に示すメニュー画面Ｍ１で表示される「設定」のボタンＢ３を選択すると、図１６に示すようなリサイズの形状変更のメニュー画面Ｍ３が表示される。ここでは、リサイズの形状や位置を設定、決定できる。すなわち、メニュー画面Ｍ３に切り替わった際にカーソルもしくは太枠で示されるパターンＰ１が現在設定されるリサイズの形状および位置を示している。
【００５８】
他のリサイズのパターンを選択したい場合には、カーソルを移動させることで太枠領域が移動し、そこで「決定」のボタンＢ４１を選択するとそのリサイズのパターンを選択できることになる。図１６に示すメニュー画面Ｍ３には４つのパターンが示されているが、他のパターンを選択したい場合には「その他．．．」のボタンＢ４３を選択することで、図示しない次のメニュー画面が表示され、ここにその他のパターンが表示される。
【００５９】
また、「設定変更」のボタンＢ４２を選択すると、カーソルで選択され太枠の表示がなされたリサイズのパターン（ここでは、パターンＰ１）の設定を変更できる。図１７はパターンの設定変更を行うための画面表示例である。ここではパターンＰ１およびカーソルが表示されるとともに、設定変更のための各種ボタンＢ５１〜Ｂ５５が表示される。
【００６０】
例えば、「移動」のボタンＢ５１を選択すると、カーソルの移動とともにリサイズ後の画像に対応する枠Ｗを移動できる。また、「縮拡」のボタンＢ５２を選択すると、カーソルの移動とともにリサイズ後の画像に対応する枠Ｗの大きさを変更できる。「キャンセル」のボタンＢ５３を選択すると、変更前の枠Ｗの位置および大きさに戻すことができる。
【００６１】
リサイズ後の画像に対応する枠Ｗの位置や大きさを変更した後は、「更新」のボタンＢ５４を選択することによりリサイズのパターンＰ１を変更登録できる。また、「新規登録」のボタンＢ５５を選択すると、新たなリサイズのパターンとして別途登録できる。パターンを新規登録すると、メニュー画面Ｍ３からそのパターンを選択可能となる。
【００６２】
上記説明した各種処理は、ＣＰＵ４によるプログラム処理で実現できるため、例えばこのような処理を行う機能を備えていない撮像装置であっても、上記各種処理を行うプログラムの読み込みによって実現できるようになる。
【００６３】
また、上記実施形態では、手書きメモ用画像を生成して印刷出力もしくは外部記録媒体１へ格納する場合、またはＬＣＤ１１に表示する場合を例としたが、Ｖｉｄｅｏ出力処理部７を介して外部モニタ１０へ表示し、余白となるスペースを利用するようにしてもよい。つまり、余白としての情報ではなく、下地の画像データとして構成されているため、画像データを取り扱うことのできる機器であれば本実施形態で生成した手書きメモ用画像を利用することが可能となる。
【図面の簡単な説明】
【００６４】
【図１】本実施形態に係る撮像装置を説明するブロック図である。
【図２】内部記録媒体であるＲＡＭの使用状態を説明する模式図である。
【図３】手書きメモ用画像としての撮像方法を説明するフローチャートである。
【図４】手書きメモ用画像への変換処理について説明するフローチャートである。
【図５】手書きメモ用画像の印刷処理について説明するフローチャートである。
【図６】手書きメモ用画像への変換および印刷処理について説明するフローチャートである。
【図７】撮像した画像（元画像）を示す模式図である。
【図８】リサイズ後の画像を下地となる画像の略中央上側に上書きした例を示す模式図である。
【図９】リサイズ後の画像を下地となる画像の左右略中央、やや上側に上書きした例を示す模式図である。
【図１０】リサイズ後の画像を下地となる画像の左上に寄せて上書きした例を示す模式図である。
【図１１】楕円形にリサイズして上書きした例を示す模式図である。
【図１２】ハート型にリサイズして上書きした例を示す模式図である。
【図１３】メニュー画面の一例を示す模式図（その１）である。
【図１４】メニュー画面の一例を示す模式図（その２）である。
【図１５】確認のための表示を説明する模式図である。
【図１６】リサイズの形状変更のメニュー画面の例を説明する模式図である。
【図１７】パターンの設定変更を行うための画面表示例を説明する模式図である。
【符号の説明】
【００６５】
１…外部記録媒体、２…メディア処理部、３…操作部、４…ＣＰＵ、５…内部記録媒体、６…画像処理部、７…Ｖｉｄｅｏ出力処理部、８…信号処理部、９…ＬＣＤ制御部、１０…外部モニタ、１２…外部Ｉ／Ｆ、１３…印刷機器、１４…ＣＣＤ
【図１】
2005039684.tif 000003
【図２】
2005039684.tif 000004
【図３】
2005039684.tif 000005
【図４】
2005039684.tif 000006
【図５】
2005039684.tif 000007
【図６】
2005039684.tif 000008
【図７】
2005039684.tif 000009
【図８】
2005039684.tif 000010
【図９】
2005039684.tif 000011
【図１０】
2005039684.tif 000012
【図１１】
2005039684.tif 000013
【図１２】
2005039684.tif 000014
【図１３】
2005039684.tif 000015
【図１４】
2005039684.tif 000016
【図１５】
2005039684.tif 000017
【図１６】
2005039684.tif 000018
【図１７】
2005039684.tif 000019